(57)【特許請求の範囲】
【請求項１】
絶縁基板上に形成されていると共に所定位置を中心として分離された第１パターン群と前記所定位置を同心に分離された第２パターン群とを含む導電パターンと、
前記所定位置を同心に相対的に摺動すると共に、前記第１及び第２パターン群の各パターン群に含まれる何れかのパターンと摺接して、設定されたアラーム時刻に対応付けられた導通状態を前記導電パターンに形成する摺動接点を備えた摺動接片とを備え、
前記導電パターンと前記摺動接片とは、相対的な位置に応じて随時導通状態を維持する、
ことを特徴とするアラーム時計。
【請求項２】
前記第１及び第２パターン群のうち何れか一方のパターン群に含まれ互いに隣接する２つのパターンと他方のパターン群に含まれる何れか１つのパターンとの導通状態に対して所定のアラーム時刻が対応付けられており、
前記導電パターンと前記摺動接片とは、相対的な位置に応じて前記導通状態を形成する、
ことを特徴とする請求項１に記載のアラーム時計。
【請求項３】
前記導電パターンと前記摺動接点とは、相対的な位置に応じて前記摺動接点の一部が前記第１又は第２パターン群に含まれる分離されたパターン間の絶縁領域に位置付けられたときに他の部分を前記パターン群に含まれる所定のパターンに位置付ける、
ことを特徴とする請求項１に記載のアラーム時計
【請求項４】
前記導電パターンと前記摺動接点とは、相対的な移動に応じて前記摺動接点の一部が第１又は第２パターン群に含まれる所定のパターンに位置付けられたときに、他の部分を前記パターン群に含まれ前記所定のパターンに隣接するパターンに位置付ける、
ことを特徴とする請求項２に記載のアラーム時計。
【請求項５】
前記摺動接点は、１のパターンに２点で摺接する第１及び第２接点を含み、
前記導電パターンと前記摺動接点とは、前記第１及び第２接点のうち何れか一方が分離されたパターン間に位置付けられたときに他方を何れかのパターンに位置付けると共に、相対的な移動に応じて前記第１及び第２接点のうち何れか一方が所定のパターンに位置付けられたときに他方を前記所定のパターンの周方向に隣接されるパターンに位置付ける、
ことを特徴とする請求項３又は４に記載のアラーム時計。
【請求項６】
前記導電パターンの導通状態に応じてアラーム時刻を判定するアラーム時刻判定部を備え、
前記アラーム時刻判定部は、現在時刻と同一時刻のアラーム時刻が対応付けられたパターンの導通状態を検出する、
ことを特徴とする請求項１乃至５のいずれかに記載のアラーム時計。
【請求項７】
前記アラーム時刻判定部は、現在時刻と同一時刻のアラーム時刻が対応付けられたパターンと共に、前記パターンに隣接するパターンの導通状態を検出することを特徴とする請求項６に記載のアラーム時計。
【発明の詳細な説明】
【技術分野】
【０００１】
本発明は、アラーム時計に関する。
【背景技術】
【０００２】
従来から、アラーム時刻を報知するための機構として、予定時刻を表示する目安針と、指針の駆動に連動して切り替えられる目安接点とを備え、予定時刻になると同時に目安接点が切り替わることにより、アラーム音が報知されるものが知られている（特許文献１参照）。
【０００３】
【特許文献１】特開２００２−３１８２９１
【発明の開示】
【発明が解決しようとする課題】
【０００４】
しかしながら、上記機構は、指針の駆動に連動して目安接点が切り替えられるため、部品の寸法公差や加工公差によっては、正確な時刻に報知できないという問題があった。
このような問題を解決するため、導電パターンの導通状態に応じて、設定されたアラーム時刻を検出する機構が提案されている。これにより、正確な時刻にアラーム音を報知させることができる。
【０００５】
しかし、導電パターン上を摺動する摺動接点が、導電パターンのパターン間の絶縁領域に位置付けられた場合には、どのパターンに対しても導通していない状態となり、アラーム時刻を検出することができないおそれがあった。このような状態においては、アラーム音が報知されないおそれがあった。
また、このような導電パターンを用いてアラーム時刻を検出する場合、導電パターンが絶縁領域を介して複数のパターンに分離されているため、摺動接点が絶縁領域に位置付けられることを完全に防ぐには限界があった。
【０００６】
そこで、本発明は、確実にアラーム音を報知することができるアラーム時計を提供することを目的とする。
【課題を解決するための手段】
【０００７】
上記目的は、絶縁基板上に形成されていると共に所定位置を中心として分離された第１パターン群と前記所定位置を同心に分離された第２パターン群とを含む導電パターンと、前記所定位置を同心に相対的に摺動すると共に、前記第１及び第２パターン群の各パターン群に含まれる何れかのパターンと摺接して、設定されたアラーム時刻に対応付けられた導通状態を前記導電パターンに形成する摺動接点を備えた摺動接片とを備え、前記導電パターンと前記摺動接片とは、相対的な位置に応じて随時導通状態を維持する、アラーム時計により達成できる。
この構成により、随時導通状態を維持するので、アラームが報知されないことを防止できる。
【０００８】
また、上記構成において、前記第１及び第２パターン群のうち何れか一方のパターン群に含まれ互いに隣接する２つのパターンと他方のパターン群に含まれる何れか１つのパターンとの導通状態に対して所定のアラーム時刻が対応付けられており、前記導電パターンと前記摺動接片とは、相対的な位置に応じて前記導通状態を形成する、構成を採用できる。
この構成により、導電パターンと摺動接片との相対的な位置に応じて、３つのパターンに導通状態が形成された場合であっても、アラーム時刻を適切に制御することができる。また、分離されるパターン数を増加させることなく、アラーム時刻を詳細に設定可能にすることができる。
【０００９】
また、上記構成において、前記導電パターンと前記摺動接点とは、相対的な位置に応じて前記摺動接点の一部が前記第１又は第２のパターン群に含まれる分離されたパターン間の絶縁領域に位置付けられたときに他の部分を前記パターン群に含まれる所定のパターンに位置付ける、構成を採用できる。
【００１０】
また、上記構成において、前記導電パターンと前記摺動接点とは、相対的な移動に応じて前記摺動接点の一部が第１又は第２パターン群に含まれる所定のパターンに位置付けられたときに、他の部分を前記パターン群に含まれ前記所定のパターンに隣接するパターンに位置付ける、構成を採用できる。
この構成により、
【００１１】
また、上記構成において、前記摺動接点は、１のパターンに２点で摺接する第１及び第２接点を含み、前記導電パターンと前記摺動接点とは、前記第１及び第２接点のうち何れか一方が分離されたパターン間に位置付けられたときに他方を何れかのパターンに位置付けると共に、相対的な移動に応じて前記第１及び第２接点のうち何れか一方が所定のパターンに位置付けられたときに他方を前記所定のパターンの周方向に隣接されるパターンに位置付ける、構成を採用できる。
この構成により、１のパターンに２点で摺接し得るため、何れか一方の接点がパターンから浮き上がった場合であっても、他方の接点が接触していれば、導通状態を確保することができる。これにより、アラームが報知されないことを確実に防止できる。
また、導通状態を維持しつつ互いに異なるパターンに位置付けることが可能となり、また、摺動接点の接触面積を増大させて導通状態を維持しつつ互いに異なるパターンに位置付けることを可能とする場合と比較し、摺動接点と導電パターンとの接触面積を減少させることができ、摺動接点と導電パターンとの摩擦の増大を抑制することができる。
【００１２】
また、上記構成において、前記導電パターンの導通状態に応じてアラーム時刻を判定するアラーム時刻判定部を備え、前記アラーム時刻判定部は、現在時刻と同一時刻のアラーム時刻が対応付けられたパターンの導通状態を検出する、構成を採用できる。
この構成により、現在時刻と同一時刻のアラーム時刻が対応付けられたパターンの導通状態を検出するので、所定の時間ごとに全てのパターンを検出する場合と比較し、処理時間が短縮化される。また、所定の時間ごとに全てのパターンに電圧をかけて検出する場合と比較し、消費電力が低減される。
【００１３】
上記構成において、前記導電パターンの導通状態に応じてアラーム時刻を判定するアラーム時刻判定部を備え、前記アラーム時刻判定部は、現在時刻と同一時刻のアラーム時刻が対応付けられたパターンと共に、前記パターンに隣接するパターンの導通状態を検出する、構成を採用できる。
この構成により、３つのパターンに導通状態が形成された場合であっても適切に検出することができる。
【発明の効果】
【００１４】
本発明によれば、確実にアラーム音を報知することができるアラーム時計を提供できる。
【発明を実施するための最良の形態】
【００１５】
以下、本発明の実施の形態に係る時計を図面を参照して説明する。図１は、本実施例に係る時計の構成を示した機能ブロック図である。
時計（アラーム時計）１は、アラーム時刻操作部１０、アラーム時刻設定機構２３、制御部（アラーム時刻判定部）４０、指針部５０、ムーブメント６０、報知部７０などから構成される。
【００１６】
制御部４０は、時計１の全体の動作を制御するものである。また、制御部４０は、内部時計４１を備えている。図２は、制御部４０のハードウェア構成を示した図である。制御部４０は、インターフェース４２、ＣＰＵ（Central  Processing  Unit）４３、ＲＯＭ（Read  Only  Memory）４４、ＲＡＭ（Random  Access  Memory）４５などのハードウェア、所要のソフトウェアにより実現される。
【００１７】
アラーム時刻操作部１０は、回転可能に形成されており、ユーザはアラーム時刻操作部１０を手動により操作することによりアラーム時刻を設定ことができる。
アラーム時刻設定機構２３は、アラーム時刻操作部１０の操作に応じて、アラーム時刻を設定するための機構である。詳しくは後述する。
指針部５０は、後述するアラーム指針５１や、時針、分針、秒針などから構成される。
ムーブメント６０は、上記の時針や分針を駆動させるための機構である。
報知部７０は、スピーカなどから構成され、設定されたアラーム時刻になると報知音を発生する。
制御部４０は、アラーム時刻設定機構２３により設定されたアラーム時刻を判定する。詳しくは後述する。
【００１８】
図３は、時計１の外観と内部構成を示した正面図である。図４は、アラーム指針５１に接続されたアラーム車６２と、アラーム時刻設定機構２３の構成を示した概略図である。
時計１は、図３には図示されていないが時針と分針と秒針と、アラーム指針５１を備えている。
また、アラーム時刻設定機構２３は、後述する分用回転板２１１、時用回転板２１２を備えている。
アラーム車６２及び分用回転板２１１は、操作歯車１１、１２、伝え歯車６１を介して、アラーム時刻操作部１０の回転に連動して回転駆動する。また、分用回転板２１１は、所定の回転量に応じて、時用回転板２１２を回転させる。これにより、アラーム時刻操作部１０への操作に応じて、アラーム時刻が設定されると共に、アラーム指針５１は設定されたアラーム時刻を指示する。
【００１９】
次に、アラーム時刻設定機構２３の機械的な構成について詳細に説明する。図５は、アラーム時刻設定機構２３の分解図である。
アラーム時刻設定機構２３は、回転板２００と、絶縁基板３００とから構成される。
回転板２００は、分用回転板２１１、時用回転板２１２とから構成され、絶縁基板３００には、分用導電パターン３１１、時用導電パターン３１２が形成されている。
分用回転板２１１の外周面の一部に歯部２２１が形成され、時用回転板２１２の外周面の全域に歯部２２２が形成されている。これにより、分用回転板２１１が一回転することにより、歯部２２１と歯部２２２とが一部の区間で噛合し、時用回転板２１２は、３０°だけ回転する。
また、分用回転板２１１及び時用回転板２１２は、所定の機構により３０度ごと間欠的に回転するように規制されている。
【００２０】
分用回転板２１１には、基板と対向する面に分用摺動接片２３１が固定されている。
分用摺動接片２３１は、後述する分用導電パターン３１１の外側に配置された第１パターン群３４１ａ〜３４１ｊに摺接する第１パターン群用接点２４１、分用導電パターン３１１の内側に配置された第２パターン群３５１ａ、３５１ｂに摺接する第２パターン群用接点２５１を備える。
分用摺動接片２３１は、分用回転板２１１に対して、第１パターン群用接点２４１と第２パターン群用接点２５１と分用回転板２１１の回転中心位置とが直線状に並ぶように設置されている。
また、第１パターン群用接点２４１は、第１接点２４１ａ、第２接点２４１ｂから構成され、第２パターン群用接点２５１は、第１接点２５１ａ、第２接点２５１ｂから構成される。
【００２１】
分用回転板２１１が回転することにより、第１パターン群用接点２４１と第２パターン群用接点２５１とは、絶縁基板３００に形成された分用導電パターン３１１のぞれぞれに摺接して、設定されたアラーム時刻に対応付けられた導通状態を導電パターンに形成する。
尚、時用回転板２１２についても、分用回転板２１１と同様に構成されている。
【００２２】
次に、分用導電パターン３１１及び時用導電パターン３１２について詳細に説明する。図６は、分用導電パターン３１１及び時用導電パターン３１２の導通常体に対応付けられたアラーム時刻の説明図である。
分用導電パターン３１１は、所定位置を中心として分離された第１パターン群３４１ａ〜３４１ｊと、所定位置を同心に分離された第２パターン群３５１ａ、３５１ｂとから構成される。第１パターン群３４１ａ〜３４１ｊは、外側に円周方向に電気的に分離して配置されている。第２パターン群３５１ａ、３５１ｂは、内側に円周方向に電気的に分離して配置されている。
【００２３】
分用回転板２１１は、第１パターン群用接点２４１、第２パターン群用接点２５１とが停止位置Ｍ００〜Ｍ５５の何れかの位置に位置付けられるように間欠的に回転可能に構成されている。詳細には、３０度ごとに回転可能に形成されている。これにより、第１パターン群用接点２４１に摺接するパターンと、第２パターン群用接点２５１に摺接するパターンとに、導通状態が形成される。
この導通状態は、設定されたアラーム時刻に対応付けられており、制御部４０は、この導通状態を検出することにより、設定されたアラーム時刻を検出することができる。具体的には、５分毎に対応付けられている。
【００２４】
例えば、パターン３４１ａに第１パターン群用接点２４１が摺接し、パターン３５１ａに第２パターン群用接点２５１が摺接する場合は、設定されたアラーム時刻の分の桁は「００」分と判定される。即ち、第１パターン群用接点２４１が停止位置Ｍ００に位置付けられたときには、設定されたアラーム時刻の分の桁は「００」分と判定される。従って、第１パターン群用接点２４１が停止位置Ｍ０５に位置付けられた場合には、設定されたアラーム時刻の分の桁は「０５」分と判定される。このように、分用導電パターン３１１は、各導通状態に対して設定されたアラーム時刻が５分毎に対応付けられている。
【００２５】
時用導電パターン３１２についても略同様の構成である。
例えば、第１パターン群用接点２４２が、停止位置Ｈ００に位置付けられているとき、設定されたアラーム時刻の時の桁は「００時」であり、停止位置Ｈ０１に位置付けられたときには、設定されたアラーム時刻の時の桁は「０１時」である。このように、時用導電パターン３１２は、各導通状態に対して設定されたアラーム時刻が１時間毎に対応付けられている。
【００２６】
以上のように、制御部４０は、分用導電パターン３１１及び時用導電パターン３１２の導通状態に応じて、設定されたアラーム時刻を検出することができる。
【００２７】
次に、分用導電パターンの形状について詳細に説明する。図７は、分用導電パターン３１１の一部の拡大図である。
図７（ａ）に示すように、パターン３４１ｂとパターン３４１ｃとは、径方向に伸長する絶縁領域３４１ｂｃを介して電気的に分離されている。パターン３４１ｂとパターン３４１ｃとは、互いに周方向に伸長する段部３４１ｂｃ１を有して電気的に分離されている。
また、第１パターン群用接点２４１の第１接点２４１ａ、第２接点２４１ｂは、分用導電パターン３１１に対して互いに径方向に離間して形成されている。第１接点２４１ａと第２接点２４１ｂとの離間距離は、段部３４１ｂｃ１の径方向の幅よりも長く形成されている。また、段部３４１ｂｃ１が、離間して形成された第１接点２４１ａと第２接点２４１ｂとの略中間の位置に配置されるように形成されている。
【００２８】
図７（ｂ）（ｃ）は、第１パターン群用接点の一部が、絶縁領域３４１ｂｃに位置付けられたときの例示図である。
図７（ｂ）に示すように、第２接点２４１ｂが、絶縁領域３４１ｂｃに位置付けられたときに、第１接点２４１ａは、パターン３４１ｂに位置付けられるように形成されている。
また、図７（ｃ）に示すように、第１接点２４１ａが、絶縁領域３４１ｂｃに位置付けられたときに、第２接点２４１ｂは、パターン３４１ｃに位置付けられるように形成されている。上記構成は、他のパターン３４１ａや、第２パターン群３５１ａ、３５１ｂ、時用導電パターン３１２についても同様の構成である。
【００２９】
このように、分用導電パターン３１１と分用摺動接片２３１とは、相対的な位置に応じて随時導通状態を維持する。具体的には、相対的な位置に応じて第１パターン群用接点２４１の一部（第１接点２４１ａ又第２接点２４１ｂ）が第１パターン群３４１ａ〜３４１ｊに含まれる分離されたパターン間（上記の場合ではパターン３４１ｂと３４１ｃとの間）の絶縁領域３４１ｂｃに位置付けられたときに他の部分（第１接点２４１ａ又第２接点２４１ｂ）を第１パターン群３４１ａ〜３４１ｊに含まれる何れかのパターンに位置付ける。また、この際に第２パターン群用接点２５１は、第２パターン群３５１ａ、３５１ｂの何れかのパターンに位置付けられるため、分用導電パターン３１１には常に導通状態が形成される。この構成により、随時導通状態を維持するので、アラームが報知されないことを防止できる。
【００３０】
また、１のパターンに２点で摺接し得るため、何れか一方の接点がパターンから浮き上がった場合であっても、他方の接点が接触していれば、導通状態を確保することができる。これにより、アラームが報知されないことを確実に防止できる。
【００３１】
また、前述したように回転板２００の機構上、第１パターン群用接点２４１、第２パターン群用接点２５１とは、停止位置Ｍ００〜Ｍ５５の何れかの位置に位置付けられるように構成されているが、長期的な使用や過酷な環境下での使用により、回転板２００の機構が劣化し、停止位置Ｍ００〜Ｍ５５以外に位置付けられる事態が生じた場合であっても、アラームが報知されないことを防止できる。
尚、時用導電パターン３１２と時用摺動接片２３２とについても同様である。
【００３２】
次に、複数のパターンに導通状態が形成される場合について説明する。
図７（ｄ）は、第１接点２４１ａが、パターン３４１ｂに位置付けられ、第２接点２４１ｂが、パターン３４１ｃに位置付けられたときの例示図である。
第１接点２４１ａと第２接点２４１ｂとが、段部３４１ｂｃ１をまたぐように位置付けられた場合、第２パターン群用接点２５１は、パターン３５１ｂに位置付けられる。これにより、パターン３４１ｂ、３４１ｃ、３５１ｂに導通状態が形成される。また、詳細は後述するが、このような導通状態に対しても、所定のアラーム時刻が対応付けられている。
【００３３】
このように、第１及び第２のパターン群のうち少なくとも何れか一方のパターン群に含まれる２つのパターンと他方のパターン群に含まれる何れか１つのパターンとの導通状態に対して所定のアラーム時刻が対応付けられており、分用導電パターン３１１と分用摺動接片２３１とは、相対的な位置に応じて上記の導通状態を形成する。この構成により、分用導電パターン３１１と分用摺動接片２３１との相対的な位置に応じて、３つのパターンに導通状態が形成された場合であっても、アラーム時刻を適切に制御することができる。また、分離されるパターン数を増加させることなく、アラーム時刻を詳細に設定可能にすることができる。
【００３４】
また、導通状態を維持しつつ互いに異なるパターンに位置付けることが可能となり、また、摺動接点の接触面積を増大させて導通状態を維持しつつ互いに異なるパターンに位置付けることを可能とする場合と比較し、摺動接点と導電パターンとの接触面積を減少させることができ、摺動接点と導電パターンとの摩擦の増大を抑制することができる。
【００３５】
次に、時用導電パターンの形状について詳細に説明する。図８は、時用導電パターン３１２の一部の拡大図である。
図８に示すように、パターン３４２ａとパターン３４２ｂとは、分用導電パターン３１１と同様に絶縁領域３４２ａｂを介して電気的に分離されている。また、これらは互いに径方向に対して段部３４２ａｂ１を有して電気的に分離されている。
段部３４２ａｂ１は、分用導電パターン３１１の段部３４１ｂｃ１と比較し、周方向に伸長して形成される。この差異に付いての詳細は後述する。
【００３６】
次に、制御部４０が実行するアラーム時刻検出処理の一例について具体例を挙げて説明する。図９は、所定の時刻にアラームが設定された場合の、導電パターン上の摺動接点の位置関係を示した図である。また、図１０〜図１３は、制御部４０が実行するアラーム時刻検出処理の一例を示すフローチャート図である。
【００３７】
まず、アラーム時刻が１時１０分に設定されている場合について、現在時刻に応じて説明する。図９（ａ）は、アラーム時刻が１時１０分に設定されている場合の、導電パターン上の摺動接点の位置関係を示した図である。
【００３８】
まず、図１０に示すように、制御部４０は、設定されたアラーム時刻の検出タイミングであるかどうかを判定する（ステップＳ１）。この検出タイミングは、内部時計４１からの情報に基づき、５分毎に行われる。具体的には、１時００分、０５分、１０分…というように５分毎に行われる。検出タイミングではない場合は、この処理を終了する。
【００３９】
検出タイミングの場合には、内部時計４１からの情報に基づき、現在時刻が００分、５５分以外であるかどうかを判定する（ステップＳ２）。現在時刻が００分、５５分以外の場合には、制御部４０は、通常処理を実行し（ステップＳ１００）、現在時刻が００分又は５５分の場合には、５５分であるかどうかを判定し（ステップＳ３）、５５分の場合には５５分処理を実行し（ステップＳ２００）、００分の場合には、００分処理を実行する（ステップＳ３００）。
【００４０】
まず、現在時刻が００分、５５分以外の場合について説明する。この場合は、制御部４０は、図１１に示す通常処理を実行する。図１１は、現在時刻が００分、５５分以外の場合の処理の一例を示すフローチャート図である。
制御部４０は、現在時刻に対応する導電パターンの位置の導通状態を読み取り（ステップＳ１０１）、導通しているかどうかを判定する（ステップＳ１０２）。導通していない場合には、現在時刻と設定されたアラーム時刻とが一致していないとして、アラーム報知を実行せずにこの処理を終了する。
【００４１】
例えば、現在時刻が１時５分の場合には、分用導電パターン３１１のパターン３４１ａ、３５１ｂとが導通状態であるかどうかを検出すると共に、時用導電パターン３１２のパターン３４２ａ、パターン３５２ｂとが導通状態であるかどうかを検出する。図９（ａ）に示すように、時用導電パターン３１２のパターン３４２ａ、パターン３５２ｂとは導通状態にあるが、分用導電パターン３１１のパターン３４１ｂ、３５１ｂについては、第１パターン群用接点２４１がパターン３４１ａに位置付けられているため、導通状態にはない。従って、アラーム報知は実行されない。
【００４２】
導通している場合には、アラーム禁止フラグがあるかどうかを判定する（ステップＳ１０３）。アラーム禁止フラグがセットされている場合については後述する。
アラーム禁止フラグがない場合には、制御部４０は、報知部７０に指令を出してアラームを出力させる（ステップＳ１０６）。これにより、設定されたアラーム時刻と同一時刻にアラーム報知をすることができる。
次に、ステップＳ１０７〜１０９の処理を実行して、この処理を終了する。ステップＳ１０７〜１０９については、後述する。
【００４３】
上記のように、５分毎に現在時刻と同一時刻のアラーム時刻が対応付けられたパターンの導通状態を検出する（ステップＳ１、Ｓ１０１）。このように、現在時刻と同一時刻のアラーム時刻が対応付けられたパターンの導通状態を検出するので、所定の時間ごとに全てのパターンを検出する場合と比較し、制御部４０の処理時間が短縮化される。また、所定の時間ごとに全てのパターンに電圧をかけて検出する場合と比較し、消費電力が低減される。
【００４４】
尚、アラーム時刻が１時１０分に設定されている場合に、現在時刻が５５分場合の処理は、制御部４０は、ステップＳ１、Ｓ２、Ｓ３、Ｓ２００を実行し、図１２に示すように、現在時刻（この場合５５分）に対応する導電パターンの位置の導通状態を読み取り（ステップＳ２０１、Ｓ２０２）、導通状態は形成されていないため、この処理を終了する。同様に現在時刻が００分場合の処理は、制御部４０は、ステップＳ１、Ｓ２、Ｓ３、Ｓ３００を実行し、図１３に示すように、現在時刻（この場合００分）に対応する導電パターンの位置の導通状態を読み取り（ステップＳ３０１、Ｓ３０２）、この処理を終了する。
【００４５】
次に、第１接点２４１ａがパターン３４１ｂに位置付けられ、第２接点２４１ｂがパターン３４１ｃに位置付けられた場合について、現在時刻に応じて説明する。図９（ｂ）は、第１接点２４１ａがパターン３４１ｂに位置付けられ、第２接点２４１ｂがパターン３４１ｃに位置付けられた場合の、導電パターン上の摺動接点の位置関係を示した図である。尚、上記場合は、１時１０分と１時１５分との双方に対応付けられたパターンに導通状態が形成される場合である。
【００４６】
まず、現在時刻が１時１０分の場合の処理について説明する。
制御部４０は、ステップＳ１、Ｓ２、Ｓ１００の処理を実行し、ステップＳ１０１、Ｓ１０２、Ｓ１０３、Ｓ１０６の処理を実行してアラームを出力させる。
次に、現在時刻に対して５分後の位置、即ち１時１５分に対応するパターンの導通状態を読み取る（ステップＳ１０７、Ｓ１０８）。詳細には、パターン３４１ｃ、３５１ｂが導通状態であるかどうかを検出する。第２接点２４１ｂがパターン３４１ｃに位置付けられているので、パターン３４１ｃ、３５１ｂが導通状態にあり、制御部４０は、時刻１時１５分に対してアラーム禁止フラグをセットする（ステップＳ１０９）。これにより、時刻１時１５分に対してアラーム禁止フラグがセットされたので、所定の場合を除いて、１時１５分にはアラームは報知されない。
【００４７】
引き続き、図９（ｂ）に示された状態のまま、現在時刻が１時１５分の場合の処理について説明する。
制御部４０は、ステップＳ１、Ｓ２、Ｓ１００、Ｓ１０１、Ｓ１０２の処理を実行後、アラーム禁止フラグがあるかどうかを判定し（ステップＳ１０３）、時刻１時１５分に対してアラーム禁止フラグがセットされたので、現在時刻に対して５分前の位置、即ち１時１０分に対応付けられているパターン３４１ｂ、３５１ｂの導通状態を読み取る（ステップＳ１０４、Ｓ１０５）。上述したように、パターン３４１ｂ、３５１ｂについても導通状態は形成されているので、現在時刻に対して５分後の位置、即ち１時２０分に対応付けられているパターン３４１ｄ、３５１ｂの導通状態を読み取る（ステップＳ１０７、Ｓ１０８）。パターン３４１ｄ、３５１ｂについては、導通状態は形成されていないため、この処理を終了する。
【００４８】
このように、分用摺動接片２３１の第１パターン群用接点２４１が、パターン３４１ｂ、３４１ｃの双方に位置付けられた場合には、制御部４０は、対応付けられたアラーム時刻のうち、早い時刻にアラームを報知させる。即ち、１時１０分と１時１５分との双方に対応付けられた導通状態が形成される場合には、１時１０分にアラームを報知させ、１時１５分にはアラームを報知させない。このように、第１パターン群用接点２４１が互いに隣接するパターンの双方に摺接して位置付けられた場合であっても、適切な時刻にアラームを報知させることができる。
また、制御部４０は、現在時刻と同一時刻のアラーム時刻が対応付けられたパターンと共に、前記パターンに隣接するパターンの導通状態を検出する（ステップＳ１０４、Ｓ１０５、Ｓ１０７、Ｓ１０８）ので、３つのパターンに導通状態が形成された場合であっても適切に検出することができる。
【００４９】
次に、１時１０分及び１時１５分に対応付けられた導通状態が形成された状態で、１時１０分にアラームが報知されて、アラームが報知されてから１時１５分までの間に、アラーム時刻が１時１５分に設定しなおされた場合について説明する。
前述したように、パターン３４１ｂ、３４１ｃ、３５１ｂに導通状態が形成されるため、時刻１時１５分に対してアラーム禁止フラグをセットされている（ステップＳ１０９）。
【００５０】
現在時刻が１時１５分になると、ステップＳ１、Ｓ２、Ｓ１００、Ｓ１０１、Ｓ１０２、Ｓ１０３の処理を実行し。現在時刻に対して５分前の位置、即ち１時１０分に対応付けられているパターン３４１ｂ、３５１ｂの導通状態を読み取る（ステップＳ１０４、Ｓ１０５）。現在はパターン３４１ｂ、３５１ｂは導通状態にないため、アラームが出力させる（ステップＳ１０６）。次に、制御部４０は、ステップＳ１０７、Ｓ１０８を実行しこの処理を終了する。
このように、分用摺動接片２３１の第１パターン群用接点２４１が、パターン３４１ｂ、３４１ｃの双方に位置付けられ、対応付けられたアラーム時刻のうち早い時刻にアラームが報知された後に、ユーザによりアラーム時刻を設置し直した場合には、再度その時刻にアラームを報知させる。これにより、アラーム禁止フラグがセットされた場合であっても、上記のような場合にはアラームを報知させることができる。
尚、分用摺動接片２３１の第２パターン群用接点２５１が、パターン３５１ａ、３５１ｂに位置付けられた場合についても、上記と同様の処理がなされる。
【００５１】
次に、設定されたアラーム時刻が５５分又は００分の場合の処理について説明する。
図１４は、１時５５分又は２時００分に設定されている場合の、導電パターン上の摺動接点の位置関係を示した図である。
まず、アラーム時刻が１時５５分に設定され、現在時刻が１時５５分の場合の処理について説明する。図１４（ａ）は、１時５５分に設定されている場合の、導電パターン上の摺動接点の位置関係を示した図である。
制御部４０は、ステップＳ１、Ｓ２、Ｓ３、Ｓ２００の処理を実行し、１時５５分に対応するパターンの導通状態を読み取る（ステップＳ２０１、２０２）。具体的には、制御部４０は、時用導電パターン３１２のパターン３４２ａ、３５２ｂの導通状態と、分用導電パターン３１１のパターン３４１ｊ、３５１ａの導通状態とを読み取る。
上記パターンには導通状態が形成されているため、ステップＳ２０３、Ｓ２０４、Ｓ２１１〜Ｓ２１５の処理を実行後、アラームを報知する（ステップＳ２１８）。尚、ステップＳ２０３、Ｓ２０４、Ｓ２１１〜Ｓ２１５の処理については、詳しくは後述する。
【００５２】
次に、アラーム時刻が２時００分に設定され、現在時刻が２時００分の場合の処理について説明する。図１４（ｂ）は、２時００分に設定されている場合の、導電パターン上の摺動接点の位置関係を示した図である。
制御部４０は、ステップＳ１、Ｓ２、Ｓ３、Ｓ３００の処理を実行し、２時００分に対応するパターンの導通状態を読み取る（ステップＳ３０１、３０２）。具体的には、制御部４０は、時用導電パターン３１２のパターン３４２ｂ、３５２ｂの導通状態と、分用導電パターン３１１のパターン３４１ａ、３５１ａの導通状態とを読み取る。
上記パターンには導通状態が形成されているため、ステップＳ３０３、Ｓ３０４、Ｓ３１２〜Ｓ３１７の処理を実行後、アラームを報知する（ステップＳ３１９）。尚、ステップＳ３０３、Ｓ３０４、Ｓ３１２〜Ｓ３１７の処理については、詳しくは後述する。
【００５３】
次に、摺動接片が１時５５分から２時００分に位置付けられる場合の、摺動接点の摺接位置の移動について説明する。図１５は、設定されるアラーム時刻が１時５５分から２時００分に切り替えられる場合の、摺動接点の摺接位置の移動について示した図である。
前述したように、分用回転板２１１と時用回転板２１２との機構の特性上、分用回転板２１１が一回転することにより、時用回転板２１２は、３０°だけ間欠的に回転する。この時用回転板２１２の回転は、分用摺動接片２３１の第１パターン群用接点２４１がＭ５５からＭ００の位置へ移動する際に、時用摺動接片２３２の第１パターン群用接点２４２がＨ００からＨ０１の位置へ移動するように、分用回転板２１１と一時的に従動して回転する。
【００５４】
図１５（ａ）は、１時５５分及び２時５５分に対応付けられた導通状態が形成されている導電パターンと摺動接点の位置関係を示した図である。
図１５（ａ）に示すように、時用摺動接片２３２の第１パターン群用接点２４２の、第１接点２４２ａは、パターン３４２ｂに位置付けられ、第２接点２４２ｂは、パターン３４２ａに位置付けられている。
図８に示したように、時用導電パターン３１２の段部３４２ａｂ１は、分用導電パターン３１１の段部３４１ｂｃ１よりも周方向に伸長して形成されている。このため、時用摺動接片２３２の第１パターン群用接点２４２が２つのパターンに位置付けられている場合であっても、分用摺動接片２３１の第１パターン群用接点２４１が１のパターンに位置付けられる場合がある。
図１５（ａ）に示すように、時用導電パターン３１２については、パターン３４２ａ、３４２ｂ、３５２ｂとに導通状態が形成される。
【００５５】
まず、現在時刻が１時５５分の場合の処理について説明する。
制御部４０は、ステップＳ１、Ｓ２、Ｓ３、Ｓ２００、Ｓ２０１、Ｓ２０２の処理を実行し、５分後の位置、即ち、２時００分に対応付けられている、時用導電パターン３１２のパターン３４２ｂ、３５２ｂと、分用導電パターン３１１のパターン３４１ａ、３５１ａとに導通状態が形成されているかどうかを判定する（ステップＳ２０３、Ｓ２０４）。
図１５（ａ）に示すように、パターン３４１ａ、３５１ａには導通状態が形成されていないので、現在時刻の１時間前の位置、即ち、０時５５分に対応付けられている時用導電パターン３１２のパターン３４２ａ、３５２ａと、分用導電パターン３１１のパターン３４１ｊ、３５１ａとに導通状態が形成されているかどうかを判定する（ステップＳ２１１、Ｓ２１２）。
パターン３４２ａ、３５２ａについては導通状態が形成されていないので、制御部４０は、現在時刻の１時間後の位置、即ち、２時５５分に対応付けられている時用導電パターン３１２のパターン３４２ｂ、３５２ｂと、分用導電パターン３１１のパターン３４１ｊ、３５１ａとに導通状態が形成されているかどうかを判定する（ステップＳ２１３、Ｓ２１４）。パターン３４２ｂ、３５２ｂは導通状態が形成されているので、制御部４０は、アラームを報知する（ステップＳ２１８）。
【００５６】
引き続き図１５（ａ）に示された状態のまま、現在時刻が２時５５分の場合の処理について説明する。
制御部４０は、ステップＳ１、Ｓ２、Ｓ３、Ｓ２００、Ｓ２０１、Ｓ２０２の処理を実行し、５分後の位置、即ち、３時００分に対応付けられている、時用導電パターン３１２のパターン３４２ｃ、３５２ｂと、分用導電パターン３１１のパターン３４１ａ、３５１ａとに導通状態が形成されているかどうかを判定する（ステップＳ２０３、Ｓ２０４）。この導通状態は形成されていないので、現在時刻の１時間前の位置、即ち、１時５５分に対応付けられているパターンに導通状態が形成されているかどうかを判定する（ステップＳ２１１、Ｓ２１２）。前述したように、１時５５分に対応付けられているパターンには導通状態が形成されているため、アラームを報知することなくこの処理を終了する。
【００５７】
このように、時用摺動接片２３２の第１パターン群用接点２４２が、パターン３４２ａ、３４２ｂの双方に位置付けられた場合であっても、制御部４０は、対応付けられたアラーム時刻のうち、早い時刻にアラームを報知させる。即ち、１時５５分と２時５５分との双方に対応付けられた導通状態が形成される場合には、１時５５分にアラームを報知させ、２時５５分にはアラームを報知させない。このように、時用摺動接片２３２の第１パターン群用接点２４２が互いに隣接するパターンの双方に摺接して位置付けられた場合であっても、適切な時刻にアラームを報知させることができる。
【００５８】
尚、１時５５分及び２時５５分に対応付けられている導通状態が形成された状態で、１時５５分にアラームが報知され、その後アラームが報知されてから２時００分までの間に、アラーム時刻が２時００分に設定しなおされた場合についても、ステップＳ１〜Ｓ３、Ｓ３００〜Ｓ３０４、Ｓ３１２〜Ｓ３１７の処理が実行され、アラームが報知される（ステップＳ３１９）。
【００５９】
次に、図１５（ａ）の状態から、分用回転板２１１がわずかに右方向に回転した場合について説明する。図１５（ｂ）は、時用摺動接片２３２の第１パターン群用接点２４２の第１接点２４２ａが、パターン３４２ｂに位置付けられ、第２接点２４２ｂが、パターン３４２ａに位置付けられると共に、分用摺動接片２３１の第１パターン群用接点２４１の第１接点２４１ａが、パターン３４１ｊに位置付けられ、第２接点２４１ｂが、パターン３４１ａに位置付けられたときの例示図である。この場合、１時００分、１時５５分、２時００分及び２時５５分に対応付けられた導通状態が導電パターンに形成される。
【００６０】
まず、現在時刻が１時００分の場合の処理について説明する。
制御部４０は、ステップＳ１、Ｓ２、Ｓ３、Ｓ３００〜３０２の処理を実行し、５分前の位置、即ち、０時５５分に対応付けられている、時用導電パターン３１２のパターン３４２ａ、３５２ａと、分用導電パターン３１１のパターン３４１ｊ、３５１ａとに導通状態が形成されているかどうかを判定する（ステップＳ３０３、Ｓ３０４）。
図１５（ｂ）に示すように、導通状態が形成されていないので、制御部４０は、現在時刻の１時間前の位置、即ち、０時００分に対応付けられている導通状態が形成されているかどうかを判定する（ステップＳ３１２、Ｓ３１３）。この導通状態は形成されていないため、現在時刻の１時間後、即ち２時００分に対応付けられている導通状態が形成されているかどうかを判定する（ステップＳ３１４、Ｓ３１５）。この導通状態は形成されているため、アラームが報知されることなくこの処理を終了する。
【００６１】
次に、引き続き現在時刻が１時５５分の場合の処理について説明する。
制御部４０は、ステップＳ１、Ｓ２、Ｓ３、Ｓ２００〜Ｓ２０２の処理を実行し、５分後の位置、即ち、２時００分に対応付けられている導通状態が形成されているかどうかを判定する（ステップＳ２０３、Ｓ２０４）。この導通状態は形成されているので、現在時刻の１時間前の位置、即ち０時５５分に対応付けられている導通状態が形成されているかどうかを判定する（ステップＳ２０５、Ｓ２０６）。この導通状態は形成されていないので、現在時刻の１時間後の位置、即ち２時５５分に対応付けられている導通状態が形成されているかどうかを判定する（ステップＳ２０７、Ｓ２０８）。この導通状態は形成されているので、制御部４０は、アラーム禁止フラグをセットして（ステップＳ２０９）、アラームを報知させ（ステップＳ２１０）、この処理を終了する。
【００６２】
次に、引き続き現在時刻が２時００分の場合の処理について説明する。
制御部４０は、ステップＳ１、Ｓ２、Ｓ３、Ｓ３００〜３０２の処理を実行し、５分前の位置、即ち１時５５分に対応付けられている導通状態が形成されているかどうかを判定する（ステップＳ３０３、Ｓ３０４）。この導通状態は形成されているので、現在時刻の１時間後、即ち１時００分に対応付けられている導通状態が形成されているかどうかを判定する（ステップＳ３０５、Ｓ３０６）。この導通状態は形成されているので、制御部４０は、アラーム禁止フラグがあるかどうかを判定する（ステップＳ３１０）。
前述したように、アラーム禁止フラグはあるので、アラームを報知させることなくこの処理を終了する。
【００６３】
次に、引き続き現在時刻が２時５５分の場合の処理について説明する。
制御部４０は、ステップＳ１、Ｓ２、Ｓ３、Ｓ２００〜Ｓ２０２の処理を実行し、５分後の位置、即ち、３時００分に対応付けられている導通状態が形成されているかどうかを判定する（ステップＳ２０３、Ｓ２０４）。この導通状態は形成されていないので、現在時刻の１時間前の位置、即ち１時００分に対応付けられている導通状態が形成されているかどうかを判定する（ステップＳ２１１、Ｓ２１２）。この導通状態は形成されているので、制御部４０は、アラームを報知させることなくこの処理を終了する。
【００６４】
以上のように、１時００分、１時５５分、２時００分及び２時５５分に対応付けられた導通状態が導電パターンに形成されている場合には、１時５５分にのみアラームを報知させる。これは、回転板２００の機構上、分用摺動接片２３１の第１パターン群用接点２４１の、Ｍ５５からＭ００への移動に伴い、時用摺動接片２３２の第１パターン群用接点２４２は、Ｈ０１からＨ０２へ移動する。従って、設定されたアラーム時刻は、１時５５分又は２時００分と予想でき、このうち早い時刻にアラームを報知させる。このように、導通状態が複数のパターンにわたって形成された場合であっても、適切な時刻にアラームを報知させることができる。
【００６５】
尚、１時００分、１時５５分、２時００分及び２時５５分に対応付けられた導通状態が形成された状態で、１時５５分にアラームが報知され、その後アラームが報知されてから２時００分までの間に、アラーム時刻が２時００分に設定しなおされた場合についても、ステップＳ１〜Ｓ３、Ｓ３００〜Ｓ３０４、Ｓ３１２〜Ｓ３１７の処理が実行され、アラームが報知される（ステップＳ３１９）。
【００６６】
次に、図１５（ｂ）の状態から、分用回転板２１１が更にわずかに右方向に回転した場合について説明する。図１５（ｃ）は、時用摺動接片２３２の第１パターン群用接点２４２の第１接点２４２ａが、パターン３４２ｂに位置付けられ、第２接点２４２ｂが、パターン３４２ａに位置付けられると共に、分用摺動接片２３１の第１パターン群用接点２４１が、パターン３４１ａに位置付けられたときの例示図である。この場合、１時００分及び２時００分に対応付けられた導通状態が導電パターンに形成される。
【００６７】
まず、現在時刻が１時００分の場合の処理について説明する。
制御部４０は、ステップＳ１、Ｓ２、Ｓ３、Ｓ３００〜３０２の処理を実行し、５分前の位置、即ち、０時５５分に対応付けられている導通状態が形成されているかどうかを判定し（ステップＳ３０３、Ｓ３０４）、この導通状態は形成されていないので、現在時刻の１時間前の位置、即ち０時００分に対応付けられている導通状態が形成されているかどうかを判定し（ステップＳ３１２、Ｓ３１３）、この導通状態についても形成されていないので、現在時刻の１時間後、即ち２時００分に対応付けられている導通状態が形成されているかどうかを判定し（ステップＳ３１４、Ｓ３１５）、この導通状態は形成されているため、制御部４０は、アラームを報知させることなくこの処理を終了する。
【００６８】
次に、引き続き現在時刻が２時００分の場合の処理について説明する。
制御部４０は、ステップＳ１、Ｓ２、Ｓ３、Ｓ３００〜３０２の処理を実行し、５分前の位置、即ち、１時５５分に対応付けられている導通状態が形成されているかどうかを判定し（ステップＳ３０３、Ｓ３０４）、この導通状態は形成されていないので、現在時刻の１時間前の位置、即ち１時００分に対応付けられている導通状態が形成されているかどうかを判定し（ステップＳ３１２、Ｓ３１３）、この導通状態は形成されているため、制御部４０は、アラームを報知させ（ステップＳ３１９）、この処理を終了する。
【００６９】
以上のように、１時００分及び２時００分に対応付けられた導通状態が導電パターンに形成されている場合には、２時００分にアラームが報知される。
【００７０】
尚、図１５（ｃ）の状態から、分用回転板２１１が更にわずかに右方向に回転した場合には、分用摺動接片２３１の第１パターン群用接点２４１は、Ｍ００に位置付けられ、時用摺動接片２３２の第１パターン群用接点２４２は、Ｈ０２に位置付けられる。
【００７１】
以上のように、時用摺動接片２３２の摺動接点と、分用摺動接片２３１の摺動接点とが、複数のパターンに導通状態が形成された場合であっても、適切な時刻にアラームを報知させることができる。
【００７２】
尚、図８に示したように、時用導電パターン３１２の段部３４２ａｂ１は、分用導電パターン３１１の段部３４１ｂｃ１と比較し、周方向に伸長して形成される。これは、分用導電パターン３１１の導通状態が、５５分から００分に切り替えられる途中の過程で、分用導電パターン３１１には、５５分と００分とに対応付けられた導通状態が形成され、時用導電パターン３１２には、１の時刻に対応付けられている導通状態のみが形成されることを防止するためである。例えば、１時００分及び１時５５分に対応付けられている導通状態が同時に形成されることがないようにするためである。１時００分及び１時５５分に対応付けられて導通状態が同時に形成されると、アラーム時刻は本来２時００分又は１時５５分に設定されるべき状態にあるのか、又は１時００分又は０時５５分に設定されるべき状態にあるものなのか、不明確であるため、このような状態を回避すべく、時用導電パターン３１２の段部３４２ａｂ１は、分用導電パターン３１１の段部３４１ｂｃ１よりも周方向に伸長して形成されている。
【００７３】
次に、アラーム時刻設定機構の変形例について説明する。
図１６は、変形例に係る分用導電パターンの一部の拡大図である。
図１６に示すように、変形例に係る分用導電パターンのパターン３４１ｂＡ、３４１ｃＡは、径方向に直線状に絶縁領域３４１ｂｃＡを介して電気的に分離されている。また、分用摺動接片の第１パターン群用接点の第１接点２４１ａＡ、第２接点２４１ｂＡは、周方向に離間して導電パターンに摺接するように構成されている。の第１接点２４１ａＡと第２接点２４１ｂＡとの間は、絶縁領域３４１ｂｃＡの周方向の幅よりも離間するように構成される。
このような構成でよって、図１６（ａ）に示すように、第１接点２４１ａＡが絶縁領域３４１ｂｃＡに位置付けられた場合であっても、第２接点２４１ｂＡがパターン３４１ｂＡに位置付けられ、導電パターンと分用摺動接片との相対的な位置に応じて随時導通状態が維持される。
また、図１６（ｂ）に示すように、導電パターンと分用摺動接片との相対的な位置に応じて、第１接点２４１ａＡがパターン３４１ｃＡに位置付けられ、第２接点２４１ｂＡがパターン３４１ｂＡに位置付けられる。
【００７４】
以上本発明の好ましい一実施形態について詳述したが、本発明は係る特定の実施形態に限定されるものではなく、特許請求の範囲に記載された本発明の要旨の範囲内において、種々の変形・変更が可能である。
【００７５】
上記実施例において、例えば、導電パターンに、１時１０分と１時１５分とに対応付けられた導通状態が形成されている場合には、アラーム時刻を１時１０分と１時１５分の間である１時１２分３０秒に設定されたものとして対応付けてもよい。このように構成することにより、導電パターンの分離されたパターンを増加させることなく、アラーム時刻の設定をより詳細に行うことができる。
また、導電パターンの各パターンを更に分離することによって、更に詳細なアラーム時刻の設定が可能となる。
【図面の簡単な説明】
【００７６】
【図１】本実施例に係る時計の構成を示した機能ブロック図である。
【図２】制御部のハードウェア構成を示した図である。
【図３】時計１の外観と内部構成を示した正面図である。
【図４】アラーム指針に接続されたアラーム車と、アラーム時刻設定機構の構成を示した概略図である。
【図５】アラーム時刻設定機構の分解図である。
【図６】分用導電パターン及び時用導電パターンの導通常体に対応付けられたアラーム時刻の説明図である。
【図７】分用導電パターンの一部の拡大図である。
【図８】時用導電パターン３１２の一部の拡大図である。
【図９】所定の時刻にアラームが設定された場合の、導電パターン上の摺動接点の位置関係を示した図である。
【図１０】制御部が実行するアラーム時刻検出処理の一例を示すフローチャート図である。
【図１１】制御部が実行するアラーム時刻検出処理の一例を示すフローチャート図である。
【図１２】制御部が実行するアラーム時刻検出処理の一例を示すフローチャート図である。
【図１３】制御部が実行するアラーム時刻検出処理の一例を示すフローチャート図である。
【図１４】１時５５分又は２時００分に設定されている場合の、導電パターン上の摺動接点の位置関係を示した図である。
【図１５】設定されるアラーム時刻が１時５５分から２時００分に切り替えられる場合の、摺動接点の摺接位置の移動について示した図である。
【図１６】変形例に係る分用導電パターンの一部の拡大図である。
【符号の説明】
【００７７】
１                        時計
１０                      アラーム時刻操作部
１１、１２                操作歯車
２３                      アラーム時刻設定機構
４０                      制御部
４１                      内部時計
４２                      インターフェース
４３                      ＣＰＵ
４４                      ＲＯＭ
４５                      ＲＡＭ
５０                      指針部
５１                      アラーム指針
６０                      ムーブメント
６１                      伝え歯車
６２                      アラーム車
７０                      報知部
２００                    回転板
２１１                    分用回転板
２１２                    時用回転板
２２１、２２２            歯部
２３１                    分用摺動接片
２３２                    時用摺動接片
２４１、２４２            第１パターン群用接点
２５１、２５２            第２パターン群用接点
３００                    絶縁基板
３１１                    分用導電パターン
３１２                    時用導電パターン
【図１】
0004695012.tif 000002
【図２】
0004695012.tif 000003
【図３】
0004695012.tif 000004
【図４】
0004695012.tif 000005
【図５】
0004695012.tif 000006
【図６】
0004695012.tif 000007
【図７】
0004695012.tif 000008
【図８】
0004695012.tif 000009
【図９】
0004695012.tif 000010
【図１０】
0004695012.tif 000011
【図１１】
0004695012.tif 000012
【図１２】
0004695012.tif 000013
【図１３】
0004695012.tif 000014
【図１４】
0004695012.tif 000015
【図１５】
0004695012.tif 000016
【図１６】
0004695012.tif 000017